(57)【要約】【課題】金型代をセーブする為、１つの部品からなる表示ケースでありながら、ポケットに入れて持ち運べる名刺あるいはカレンダーまたは写真用のケースにもなって、あるいは、机上に立てて置く事ができる安価な表示ケースを提供することにある。【解決手段】本発明のボックス表示ケースは、基部と蓋部からなり、基部と蓋部は薄肉のヒンジ部にて接続して一体成形品とし、ヒンジ部を回転の中心として、基部に対し、蓋部を回転させた時、基部と蓋部はボックス形状をなし、該基部には薄肉部にて一体成形された1ヶ所以上の羽部と、該羽部根付近に爪部とを備え、該羽部は折り曲げる事により、該爪部を乗り越し、折り曲げた位置にて羽部が元に戻りにくくなる機能有した事を最も主要な特徴とする。【選択図】図１
2008253483.tif 000002
【特許請求の範囲】
【請求項１】
基部と蓋部からなるボックス表示ケースにおいて、基部と蓋部は薄肉のヒンジ部にて接続していて、ヒンジ部を回転の中心として、基部に対し、蓋部を回転させた時、基部と蓋部はボックス形状をなし、該基部には薄肉部にて該基部に一体成形された1ヶ所以上の羽部と、該羽部根付近に爪部とを備え、該羽部は折り曲げる事により、該爪部を乗り越し、折り曲げた位置にて羽部が元に戻りにくくしたことを特徴とするボックス表示ケース。
【請求項２】
前記基部に配置された、該羽部の一ヶ所の折り曲げにて位置および、大きさを所定位置に配することで、表示ケースを縦置き、及び横置きできるようにしたことを特徴とする請求項１に記載のボックス表示ケース。
【請求項３】
前記基部には、蓋部に入り込むリブ状の突起部と、該リブ状突起部には指掛け部と、蓋部との係合突起部を配し、前期蓋部には、４辺には立ち上がりリブと、１辺のリブには指逃げのカット部と、基部との係合リブ状突起部とを配したことを特徴とする請求項１または請求項２に記載のボックス表示ケース。
【請求項４】
前記ボックス表示ケースの主たる材料が、ポリ乳酸などの生分解性材料にて形成されたことを特徴とする請求項１から請求項３に記載のボックス表示ケース。
【発明の詳細な説明】
【技術分野】
【０００１】
本発明は、名刺やカレンダーや写真などを保管する一般プラスチックおよび生分解性プラスチック製ケースに於いて、あるときは机上に立てて置くことができる安価な表示ケースに関するものである。
【背景技術】
【０００２】
従来、カレンダーや写真を表示する表示ケースは、数多く提案されている。本発明者もいくつかの提案を行っている。表示ケース（特願２００６−２４９５１２号）、モニタに着脱自在な保持具（特願２００６−２６１６０５号）。
【０００３】
また、金型コスト、製品コストを抑えるため、ケース部が１つの部品で出来上がっている安価な表示ケースが望まれている。
【特許文献１】特願２００６−２４９５１２号
【特許文献１】特願２００６−２６１６０５号
【発明の開示】
【発明が解決しようとする課題】
【０００４】
本発明は、金型代をセーブする為、１つの部品からなる表示ケースでありながら、ポケットに入れて持ち運べる名刺あるいはカレンダーまたは写真用のケースにもなって、あるいは、机上に立てて置く事ができる安価な表示ケースを提供することにある。
【課題を解決するための手段】
【０００５】
上記目的を達成するため本発明のボックス表示ケースは、基部と蓋部からなり、基部と蓋部は薄肉のヒンジ部にて接続して一体成形品とし、ヒンジ部を回転の中心として、基部に対し、蓋部を回転させた時、基部と蓋部はボックス形状をなし、該基部には薄肉部にて一体成形された1ヶ所以上の羽部と、該羽部根付近に爪部とを備え、該羽部は折り曲げる事により、該爪部を乗り越し、折り曲げた位置にて羽部が元に戻りにくくなる機能有した事を最も主要な特徴とする。
【発明の効果】
【０００６】
本発明のボックス表示ケースは、名刺あるいはカレンダーまたは写真ケースにもなって、あるときは、机上に立てて置く事ができる安価な表示ケースを提供することができる。
【発明を実施するための最良の形態】
【０００７】
基部には、蓋部に入り込むリブ状の突起部と、該リブ状突起部には指掛け部と、蓋部との係合突起部を配し、前期蓋部には、４辺には立ち上がりリブと、１辺のリブには指逃げのカット部と、基部との係合リブ状突起部とを配することが望ましい。
【実施例１】
【０００８】
本発明の実施形態について詳しく説明する。本実施例で説明する形状は、これを限定する物ではない。図１は、本発明のボックス表示ケースの基部に対し、蓋部を回転させ開いた状態の正面方向からの斜視図である。１は基部を示し、２は蓋部、３はヒンジ部である。
【０００９】
また、図１は、基部１と蓋部２をヒンジ部３にて一体とした形状を示しているが、基部１と蓋部２を別部品としてケースを構成する場合もある。ただしこの場合、金型が２面必要となり、部品代も２部品分になり割高となる。
【００１０】
また、蓋部２に部分的な切り欠き部を配し、蓋部２に収納した収納物の厚み方向を押さえる事により、収納物を取り出す易くする場合もある。
【００１１】
図２は、本発明のボックス表示ケースの基部１に対し、蓋部２を回転させ開いた状態の断面図である。
【００１２】
図３は、ヒンジ部３を回転の中心として、基部１に対し、蓋部２を回転させ基部１と蓋部２をボックス形状にした状態の断面図である。基部１には、蓋部２に入り込むリブ状突起部７と、リブ状突起部７には指掛け部８と、蓋部２との係合突起部９を配している。蓋部２には、４辺に立ち上がりリブ１０と、１辺のリブには指逃げのカット部１１と、基部１との係合リブ状突起部１２を配している。
【００１３】
図３では、指掛け部８とカット部１１を備えた状態図を示しているが、指掛け部８とカット部１１を備えない場合もある。ただしこの時は基部１と蓋部２を開けることが困難となり推奨はしにくい。
【００１４】
図４は、基部１と蓋部２をボックス形状にし、羽部５を折り曲げ縦置きにした状態の斜視図である。基部１には薄肉部４にて基部１に一体成形された1ヶ所以上の羽部５と、羽部５根付近に爪部６とを備え、羽部５は折り曲げる事により、爪部６を乗り越し、折り曲げた位置にて羽部５が元に戻りにくくした。羽部４は折り曲げ後表示ケースの倒れ防止用の足となる。
【００１５】
図５は、基部１と蓋部２をボックス形状にし、羽部５を折り曲げ横置きにした状態の斜視図である。基部１には薄肉部４にて基部１に一体成形された1ヶ所以上の羽部５と、羽部５根付近に爪部６とを備え、羽部５は折り曲げる事により、爪部６を乗り越し、折り曲げた位置にて羽部５が元に戻りにくくした。羽部４は折り曲げ後表示ケースの倒れ防止用の足となる。図４、図５の様にボックス表示ケースを縦置き、横置きにて設置可能とすることで、収納物が縦書きカレンダー、横書きカレンダーなどの場合も、収納物に記載された表記を無理なく確認することができる。
【００１６】
図６は、羽部５を折り曲げる前の爪部６と係り部１３を示した断面図である。この時、基部１には突起形状の爪部６を配し、羽部５は係り部１３を配している。
【００１７】
図７は、羽部５を折り曲げた後の爪部６と係り部１３を示した断面図である。ケースの倒れ防止用脚部を組み立てる時、羽部５を折り曲げ、羽部５は薄肉部４を回転の中心として折り曲げられ、係り部１３は突起形状の爪部６を押し、薄肉部４の延びによって乗り上げ、爪部６を乗り越した係り部１３は、薄肉部４が元に戻る事により、爪部６に引っ掛かり、羽部５は固定される。
【００１８】
図８は、爪部６を凹にした状態の羽部５を折り曲げる前の爪部６と係り部１３を示した断面図である。図５においては爪部６を凸形状として説明したが、爪部６は凸形状のみに限定する物ではなく、図７では、爪部６を凹形状として説明する。
【００１９】
図９は、爪部６を凹にした状態の羽部５を折り曲げた後の爪部６と係り部１３を示した断面図である。ケースの倒れ防止用脚部を組み立てる時、羽部５を折り曲げ、羽部５は薄肉部４を回転の中心として折り曲げられ、係り部１３は突起形状の爪部６を押し、薄肉部４の延びによって乗り上げ、爪部６を乗り越した係り部１３は、薄肉部４が元に戻る事により、爪部６に引っ掛かり、羽部５は固定される。
【００２０】
図１０は、ボックス表示ケースにおいて羽部５を折り曲げる前の状態で数枚重ね合わせた斜視図である。包装時は厚みを抑えることで、セールスマンなどが客先へ大量に運ぶ際にもかさばらず、運びやすくなる。
【００２１】
ここで説明したボックス表示ケースはプラスチック材料を射出成形して得るが、成形材料にポリ乳酸などの生分解性材料を使用する事により、ボックス表示ケースの廃棄時に地球にやさしい製品とすることができる。
【産業上の利用可能性】
【００２２】
本発明のボックス表示ケースは、基部と蓋部からなり、基部と蓋部は薄肉のヒンジ部にて接続して一体成形品とし、ヒンジ部を回転の中心として、基部に対し、蓋部を回転させた時、基部と蓋部はボックス形状をなし、該基部には薄肉部にて一体成形された1ヶ所以上の羽部と、該羽部根付近に爪部とを備え、該羽部は折り曲げる事により、該爪部を乗り越し、折り曲げた位置にて羽部が元に戻りにくくなる機能有したボックス表示ケースに利用できる。
【図面の簡単な説明】
【００２３】
【図１】本発明のボックス表示ケースの基部に対し、蓋部を回転させ開いた状態の正面方向からの斜視図である。
【図２】ボックス表示ケースの基部に対し、蓋部を回転させ開いた状態の断面図である。
【図３】ヒンジ部を回転の中心として、基部に対し、蓋部を回転させ基部と蓋部をボックス形状にした状態の断面図である。
【図４】基部と蓋部をボックス形状にし、羽部を折り曲げ縦置きにした状態の斜視図である。
【図５】基部と蓋部をボックス形状にし、羽部を折り曲げ横置きにした状態の斜視図である。
【図６】羽部を折り曲げる前の爪部と係り部を示した断面図である。
【図７】羽部を折り曲げた後の爪部と係り部を示した断面図である。
【図８】爪部を凹にした状態の羽部を折り曲げる前の爪部と係り部を示した断面図である。
【図９】爪部を凹にした状態の羽部を折り曲げた後の爪部と係り部を示した断面図である。
【図１０】ボックス表示ケースにおいて羽部５を折り曲げる前の状態で数枚重ね合わせた斜視図である。
【符号の説明】
【００２４】
１    基部
２    蓋部
３    ヒンジ部
４    薄肉部
５    羽部
６    爪部
７    リブ状突起部
８    指掛け部
９    係合突起部
１０  立ち上がりリブ
１１  カット部
１２  係合リブ状突起部
１３  係り部
【図１】
2008253483.tif 000003
【図２】
2008253483.tif 000004
【図３】
2008253483.tif 000005
【図４】
2008253483.tif 000006
【図５】
2008253483.tif 000007
【図６】
2008253483.tif 000008
【図７】
2008253483.tif 000009
【図８】
2008253483.tif 000010
【図９】
2008253483.tif 000011
【図１０】
2008253483.tif 000012